(57)【要約】【課題】熱交換器の積層型ヘッダの幅方向寸法を抑制する。【解決手段】ヘッダ（13）は、伝熱管（11）の長手方向の一端部が貫通する貫通孔（22）が形成された第１部材（20）と、伝熱管（11）の長手方向の一端部と連通する差し込み空間（70）を構成する第２部材（30）と、貫通孔（22）を貫通した状態の伝熱管（11）の長手方向の一端部と対向する主壁部（61）を含む第３部材（60）とを備える。第３部材（60）は、主壁部（61）におけるヘッダ（13）の幅方向の両端から伝熱管（11）の長手方向に第１部材（20）まで延びるカシメ用爪（62）を有する。第１部材（20）及び第２部材（30）におけるヘッダ（13）の幅方向の両側部には、カシメ用爪（62）が嵌まる第１凹部（23）及び第２凹部（33）が設けられる。【選択図】図４
2020201021.tif 000002
【特許請求の範囲】
【請求項１】
所定の方向に沿って多段に配置される複数の伝熱管（11）と、前記複数の伝熱管（11）の長手方向の一端部を保持するヘッダ（13）とを備えた熱交換器において、
前記ヘッダ（13）は、
前記複数の伝熱管（11）の長手方向の一端部が貫通する複数の貫通孔（22）が形成された第１部材（20）と、
前記複数の伝熱管（11）の長手方向の一端部と連通する複数の差し込み空間（70）を構成する第２部材（30）と、
前記複数の貫通孔（22）を貫通した状態の前記複数の伝熱管（11）の長手方向の一端部と対向する主壁部（61）を含む第３部材（60）とを備え、
前記第３部材（60）は、前記主壁部（61）における前記ヘッダ（13）の幅方向の両端から前記複数の伝熱管（11）の長手方向に前記第１部材（20）まで延びる複数のカシメ用爪（62）を有し、
前記第１部材（20）における前記ヘッダ（13）の幅方向の両側部には、前記複数のカシメ用爪（62）が嵌まる複数の第１凹部（23）が設けられ、
前記第２部材（30）における前記ヘッダ（13）の幅方向の両側部には、前記複数のカシメ用爪（62）が嵌まる複数の第２凹部（33）が設けられることを特徴とする熱交換器。
【請求項２】
請求項１において、
前記複数の第１凹部（23）及び前記複数の第２凹部（33）は、前記複数の伝熱管（11）における前記所定の方向に隣り合う伝熱管（11）同士の間の領域に配置されることを特徴とする熱交換器。
【請求項３】
請求項１又は２において、
前記ヘッダ（13）は、前記主壁部（61）と前記複数のカシメ用爪（62）の根元（63）とに囲まれた空間に配置され且つ主流路（52）を構成する第４部材（50）をさらに備えることを特徴とする熱交換器。
【請求項４】
請求項１乃至３のいずれか１つにおいて、
前記第１部材（20）は、平板状に構成され、
前記第１部材（20）における前記第２部材（30）の反対側の平坦面で前記複数のカシメ用爪（62）がかしめられることを特徴とする熱交換器。
【請求項５】
請求項１乃至４のいずれか１つにおいて、
前記複数の第１凹部（23）の深さ及び前記複数の第２凹部（33）の深さは、前記複数のカシメ用爪（62）の厚さと同等か又は当該厚さよりも大きいことを特徴とする熱交換器。
【請求項６】
請求項１乃至５のいずれか１つにおいて、
前記複数の伝熱管（11）のそれぞれは、扁平管であることを特徴とする熱交換器。
【発明の詳細な説明】
【技術分野】
【０００１】
本開示は、熱交換器に関する。
【背景技術】
【０００２】
従来、鉛直方向に延びるヘッダと、ヘッダの長手方向と直交する方向に延び且つへッダに挿入される複数の扁平管とを備え、各扁平管を流れる冷媒と、扁平管の外方を流れる空気との間で熱交換させる熱交換器が用いられてきた。
【０００３】
特許文献１には、扁平管挿入部を有するプレート部材と、冷媒主流路を有する外殻部材とからなる積層型ヘッダを備える熱交換器が提案されている。
【先行技術文献】
【特許文献】
【０００４】
【特許文献１】国際公開２０１７／０５１７２８号公報
【発明の概要】
【発明が解決しようとする課題】
【０００５】
しかしながら、特許文献１に開示された熱交換器においては、積層型ヘッダを仮固定する際に、プレート部材をヘッダ幅方向に延伸して被カシメ部を設けると共に、被カシメ部を覆うように外殻部材の先端部を折り曲げる必要がある。このため、被カシメ部の分だけ、積層型ヘッダの幅方向寸法が増大してしまうという問題が生じる。
【０００６】
本開示の目的は、熱交換器の積層型ヘッダの幅方向寸法を抑制することにある。
【課題を解決するための手段】
【０００７】
本開示の第１の態様は、所定の方向に沿って多段に配置される複数の伝熱管（11）と、前記複数の伝熱管（11）の長手方向の一端部を保持するヘッダ（13）とを備えた熱交換器において、前記ヘッダ（13）は、前記複数の伝熱管（11）の長手方向の一端部が貫通する複数の貫通孔（22）が形成された第１部材（20）と、前記複数の伝熱管（11）の長手方向の一端部と連通する複数の差し込み空間（70）を構成する第２部材（30）と、前記複数の貫通孔（22）を貫通した状態の前記複数の伝熱管（11）の長手方向の一端部と対向する主壁部（61）を含む第３部材（60）とを備え、前記第３部材（60）は、前記主壁部（61）における前記ヘッダ（13）の幅方向の両端から前記複数の伝熱管（11）の長手方向に前記第１部材（20）まで延びる複数のカシメ用爪（62）を有し、前記第１部材（20）における前記ヘッダ（13）の幅方向の両側部には、前記複数のカシメ用爪（62）が嵌まる複数の第１凹部（23）が設けられ、前記第２部材（30）における前記ヘッダ（13）の幅方向の両側部には、前記複数のカシメ用爪（62）が嵌まる複数の第２凹部（33）が設けられることを特徴とする熱交換器である。
【０００８】
第１の態様では、第１部材（20）及び第２部材（30）におけるヘッダ幅方向の両側部に、第３部材（60）から延びるカシメ用爪（62）が嵌まる第１凹部（23）及び第２凹部（33）が設けられるため、ヘッダ（13）の幅方向寸法を抑制できる。
【０００９】
本開示の第２の態様は、第１の態様において、前記複数の第１凹部（23）及び前記複数の第２凹部（33）は、前記複数の伝熱管（11）における前記所定の方向に隣り合う伝熱管（11）同士の間の領域に配置されることを特徴とする熱交換器である。
【００１０】
第２の態様では、伝熱管（11）のヘッダ幅方向寸法を低減することなく、第１凹部（23）及び第２凹部（33）を設けることができる。
【００１１】
本開示の第３の態様は、第１又は２の態様において、前記ヘッダ（13）は、前記主壁部（61）と前記複数のカシメ用爪（62）の根元（63）とに囲まれた空間に配置され且つ主流路（52）を構成する第４部材（50）をさらに備えることを特徴とする熱交換器である。
【００１２】
第３の態様では、ヘッダ（13）を冷媒流入部又は冷媒流出部とすることができる。
【００１３】
本開示の第４の態様は、第１乃至３のいずれか１つの態様において、前記第１部材（20）は、平板状に構成され、前記第１部材（20）における前記第２部材（30）の反対側の平坦面で前記複数のカシメ用爪（62）がかしめられることを特徴とする熱交換器である。
【００１４】
第４の態様では、平坦面でカシメを行えるため、ヘッダ（13）の仮固定を簡単な治具等を用いて行えるので、組立性が向上する。
【００１５】
本開示の第５の態様は、第１乃至４のいずれか１つの態様において、前記複数の第１凹部（23）の深さ及び前記複数の第２凹部（33）の深さは、前記複数のカシメ用爪（62）の厚さと同等か又は当該厚さよりも大きいことを特徴とする熱交換器である。
【００１６】
第５の態様では、ヘッダ（13）の最大幅を、第１部材（20）又は第２部材（30）の最大幅（第１凹部（23）、第２凹部（33）が形成されていない領域の幅）と等しくすることができる。
【００１７】
本開示の第６の態様は、第１乃至５のいずれか１つの態様において、前記複数の伝熱管（11）のそれぞれは、扁平管であることを特徴とする熱交換器である。
【００１８】
第６の態様では、伝熱管（11）の伝熱面積を増大させて、熱交換器の性能を向上させることができる。
【図面の簡単な説明】
【００１９】
【図１】図１は、実施形態に係る熱交換器の概略構成図である。
【図２】図２は、図１に示すII部の拡大図である。
【図３】図３は、図１に示す熱交換器のヘッダの拡大斜視図である。
【図４】図４は、図１に示す熱交換器のヘッダの分解斜視図である。
【発明を実施するための形態】
【００２０】
以下、本開示の実施形態について図面を参照しながら説明する。尚、以下の実施形態は、本質的に好ましい例示であって、本発明、その適用物、あるいはその用途の範囲を制限することを意図するものではない。
【００２１】
〈熱交換器の構成〉
図１は、実施形態に係る熱交換器（1）の概略構成図であり、図２は、図１に示すII部の拡大図である。
【００２２】
熱交換器（1）は、空気を冷却源又は加熱源として、冷媒の凝縮や蒸発を行う熱交換器であり、例えば、蒸気圧縮式の冷凍装置の冷媒回路を構成する熱交換器として採用される。冷媒回路を循環する冷媒としては、例えば、二酸化炭素冷媒を使用する。
【００２３】
熱交換器（1）は、図１及び図２に示すように、主として、複数の伝熱管（11）と、伝熱フィン（12）と、１対のヘッダ（13）、（14）とを有する。複数の伝熱管（11）は、ヘッダ（13）、（14）の長手方向に沿って多段に配置される。ヘッダ（13）、（14）は、各伝熱管（11）の長手方向の両端部を保持する。
【００２４】
図１では、例示として、複数の伝熱管（11）が、６段の伝熱管（11ａ〜11f）で構成される場合を示すが、伝熱管（11）の段数はこれに限られるものではない。各伝熱管（11）は、例えば、扁平管であってもよい。
【００２５】
各伝熱管（11）は、例えばアルミニウムやアルミニウム合金等の金属部材を押し出し成形することによって形成される。各伝熱管（11）は、ヘッダ（13）、（14）の長手方向に交差する方向（具体的には、直交する方向）に長く延びる。図２に示すように、各伝熱管（11）の長尺状で幅広の平面部（111）が上下方向（ヘッダ（13）、（14）の長手方向）に向いた状態で、各伝熱管（11）は、上下方向に所定の間隔を空けて配置される。各伝熱管（11）の内部には、複数の冷媒流路（112）が形成されており、各冷媒流路（112）には冷媒が流れる。具体的には、各冷媒流路（112）は、各伝熱管（11）をその長手方向に貫通するように、その短手方向に並んで形成される。
【００２６】
伝熱フィン（12）は、例えばアルミニウムやアルミニウム合金等の金属部材から構成される。伝熱フィン（12）は、例えば、板状部材を長手方向に波形に折り曲げることによって形成される波形フィンである。伝熱フィン（12）は、各伝熱管（11）に挟まれた空間に配置される。伝熱フィン（12）の上端の山折りの部分は、平面部（111）の下面にろう付け等によって接合され、伝熱フィン（12）の下端の谷折りの部分は、平面部（111）の上部にろう付け等によって接合される。伝熱フィン（12）には、熱交換効率を向上させるための複数の切り起こし部（12a）がルーバー状に切り起こされる。切り起こし部（12a）は、空気流れ方向（各伝熱管（11）の短手方向（幅方向）に向かって流れる空気の流れ方向）の上流側部分と下流側部分とで、空気流れ方向に対する傾斜方向が逆になるように形成される。
【００２７】
ヘッダ（13）、（14）は、図１に示すように、互いに離間しており、それぞれが上下方向（具体的には、鉛直方向）に延びる部材である。ヘッダ（13）、（14）の外面にはそれぞれ、その長手方向に沿って異なる高さ位置で（具体的には、所定の間隔を空けて）、複数の伝熱管（11）をヘッダ（13）、（14）に接続するための穴（後述の図３、図４に示す複数の貫通孔（22））が形成される。ヘッダ（13）、（14）の各貫通孔（22）には、各伝熱管（11）の長手方向の両端部が挿入される。各貫通孔（22）は、例えば、プレス加工等によって形成される。
【００２８】
ヘッダ（13）、（14）はそれぞれ、各伝熱管（11）を支持する支持機能と、冷媒を各伝熱管（11）（具体的には、冷媒流路（112））に流入させる流入機能と、各伝熱管（11）（具体的には、冷媒流路（112））から流出する冷媒を集合させる集合機能とを有する。
【００２９】
尚、以下の説明においては、説明の便宜上、図１における左側のヘッダを第１ヘッダ（13）とし、図１における右側のへッダを第２ヘッダ（14）とする。また、ヘッダ（13）、（14）の構成は、図１に示すものに限られず、種々の構成が適用可能である。
【００３０】
第１ヘッダ（13）は、上端及び下端が閉じられた上下方向に延びる筒状の部材であり、第１ヘッダ（13）の外周部に開口（130）が形成される。開口（130）は、冷媒を第１ヘッダ（13）内に流入させるか、又は、第１ヘッダ（13）から冷媒を外方に流出させる機能を有する。具体的には、開口（130）は、熱交換器（1）が冷媒の蒸発器として機能する場合は、冷媒の入口となり、熱交換器（1）が冷媒の凝縮器として機能する場合は、冷媒の出口となる。
【００３１】
第２ヘッダ（14）は、上端及び下端が閉じられた上下方向に延びる筒状の部材であり、第２ヘッダ（14）の外周部に開口（140）が形成される。開口（140）は、冷媒を第２ヘッダ（14）内に流入させるか、又は、第２ヘッダ（14）から冷媒を外方に流出させる機能を有する。具体的には、開口（140）は、熱交換器（1）が冷媒の凝縮器として機能する場合は、冷媒の入口となり、熱交換器（1）が冷媒の蒸発器として機能する場合は、冷媒の出口となる。
【００３２】
尚、開口（130）及び開口（140）は、例えば、プレス加工等によって形成される。また、開口（130）及び開口（140）にはそれぞれ、冷媒が流れる配管（151）、（152）が接続される。
【００３３】
〈ヘッダの積層構成〉
ヘッダ（13）、（14）は、基本的に同様の構成を有する。よって、以下の説明においては、ヘッダ（13）の構成について説明し、ヘッダ（14）の構成については説明を省略する。
【００３４】
図３は、ヘッダ（13）の斜視図であり、図４は、ヘッダ（13）の分解斜視図である。尚、本開示においては、ヘッダ（13）の長手方向に対して垂直で且つ伝熱管（11）の長手方向に対しても垂直な方向を、ヘッダ（13）の幅方向という（略してヘッダ幅方向ということもある）。
【００３５】
図３及び図４に示すように、ヘッダ（13）は、主として、第１部材（20）と、第２部材（30）と、第３部材（60）とから構成される。
【００３６】
第１部材（20）は、ヘッダ（13）の長手方向に延びる平板部（21）に複数の貫通孔（22）が形成されることにより構成される。各貫通孔（22）には、各伝熱管（11）の長手方向の一端部が挿入される。第１部材（20）は、例えば、心材となるアルミニウム合金の表面に、ペーストろうとなる融点の低い別のアルミニウ厶合金を貼り合わせた両面クラッド材をプレス加工することにより形成される。
【００３７】
第２部材（30）は、複数の伝熱管（11）の長手方向の一端部と連通する複数の差し込み空間（70）を構成する。具体的には、第２部材（30）は、ヘッダ（13）の長手方向に延び且つヘッダ（13）の幅方向から各差し込み空間（70）を挟む一対の側板（31,31）と、差し込み空間（70）同士を仕切るように一対の側板（31,31）のそれぞれと接続する仕切り部（32）とを有する。一対の側板（31,31）と仕切り部（32）とは、例えばアルミニウムを押し出し成形することにより一体に形成される。第２部材（30）は、第１部材（20）の一面（各伝熱管（11）が挿入される面の反対面）に例えばろう付けによって接合される。ここで、第２部材（30）の各差し込み空間（70）と、第１部材（20）の各貫通孔（22）とはオーバーラップする。
【００３８】
第３部材（60）は、ヘッダ（13）の長手方向に延び且つ各貫通孔（22）を貫通した状態の各伝熱管（11）の長手方向の一端部と対向する主壁部（61）と、主壁部（61）におけるヘッダ（13）の幅方向の両端から各伝熱管（11）の長手方向に第１部材（20）まで延びる複数のカシメ用爪（62）とを有する。主壁部（61）には、配管（151）が接続される開口（130）が形成される。各カシメ用爪（62）の根元（63）は一体化されていてもよい。第３部材（60）は、例えばアルミニウムをプレス加工することにより形成される。第３部材（60）の内面側（第１部材（20）及び第２部材（30）と積層される側）には、例えば、ペーストろうとなる融点の低い別のアルミニウム合金が貼り合わされる。すなわち、第３部材（60）は、片面クラッド材から構成される。
【００３９】
本実施形態のヘッダ（13）においては、第３部材（60）の主壁部（61）と複数のカシメ用爪（62）の根元（63）とに囲まれた空間に第４部材（50）が配置される。第４部材（50）は、ヘッダ（13）の長手方向に延びる平板部（51）に主流路（52）が形成されることにより構成される。第４部材（50）は、例えばアルミニウムをプレス加工することにより形成される。第４部材（50）は、第３部材（60）の内面に例えばろう付けによって接合される。ここで、第４部材（50）の主流路（52）と、第３部材（60）の開口（130）とはオーバーラップする。これにより、配管（151）と主流路（52）との間で冷媒の出し入れを行うことができる。
【００４０】
また、本実施形態のヘッダ（13）においては、第２部材（30）と第４部材（50）との間に第５部材（40）が配置される。第５部材（40）は、ヘッダ（13）の長手方向に延びる平板部（41）に複数の貫通孔（42）が形成されることにより構成される。第５部材（40）は、例えば、心材となるアルミニウム合金の表面に、ペーストろうとなる融点の低い別のアルミニウ厶合金を貼り合わせた両面クラッド材をプレス加工することにより形成される。これにより、第５部材（40）によって、第２部材（30）における第１部材（20）の反対面と、第４部材（50）における第３部材（60）の反対面とを例えばろう付けによって接合することができる。ここで、第５部材（40）の各貫通孔（42）と、第２部材（30）の各差し込み空間（70）とはオーバーラップすると共に、第５部材（40）の各貫通孔（42）と、第４部材（50）の主流路（52）とはオーバーラップする。これにより、各伝熱管（11）と主流路（52）との間で冷媒の出し入れを行うことができる。
【００４１】
また、本実施形態のヘッダ（13）においては、第１部材（20）、第２部材（30）及び第５部材（40）のそれぞれにおけるヘッダ（13）の幅方向の両側部に、複数のカシメ用爪（62）が嵌まる複数の第１凹部（23）、複数の第２凹部（33）及び複数の第３凹部（43）が設けられる。ここで、複数の第１凹部（23）、複数の第２凹部（33）及び複数の第３凹部（43）はそれぞれ、複数の伝熱管（11）におけるヘッダ（13）の長手方向に隣り合う伝熱管（11）同士の間の領域に配置されてもよい。具体的には、複数の第１凹部（23）は、第１部材（20）におけるヘッダ（13）の長手方向に隣り合う貫通孔（22）同士の間の領域に配置されてもよい。また、複数の第２凹部（33）は、第２部材（30）におけるヘッダ（13）の長手方向に隣り合う差し込み空間（70）同士の間の領域、つまり、仕切り部（32）に配置されてもよい。また、複数の第３凹部（43）は、第５部材（40）におけるヘッダ（13）の長手方向に隣り合う貫通孔（42）同士の間の領域に配置されてもよい。
【００４２】
尚、本実施形態のヘッダ（13）において、第１部材（20）における第２部材（30）の反対側の平坦面で複数のカシメ用爪（62）がかしめられてもよい。
【００４３】
また、複数の第１凹部（23）、複数の第２凹部（33）及び複数の第３凹部（43）のそれぞれの深さは、複数のカシメ用爪（62）の厚さと同等であってもよいし、又は、当該厚さよりも大きくてもよい。
【００４４】
−実施形態の効果−
本実施形態の熱交換器（1）によると、所定の方向に沿って多段に配置される複数の伝熱管（11）と、複数の伝熱管（11）の長手方向の一端部を保持するヘッダ（13）とを備える。ヘッダ（13）は、複数の伝熱管（11）の長手方向の一端部が貫通する複数の貫通孔（22）が形成された第１部材（20）と、複数の伝熱管（11）の長手方向の一端部と連通する複数の差し込み空間（70）を構成する第２部材（30）と、複数の貫通孔（22）を貫通した状態の複数の伝熱管（11）の長手方向の一端部と対向する主壁部（61）を含む第３部材（60）とを備える。第３部材（60）は、主壁部（61）におけるヘッダ（13）の幅方向の両端から複数の伝熱管（11）の長手方向に第１部材（20）まで延びる複数のカシメ用爪（62）を有する。第１部材（20）及び第２部材（30）のそれぞれにおけるヘッダ（13）の幅方向の両側部には、複数のカシメ用爪（62）が嵌まる複数の第１凹部（23）及び複数の第２凹部（33）が設けられる。このため、ヘッダ部材をヘッダ幅方向に延伸して被カシメ部を設けることなく、第１部材（20）、第２部材（30）及び第３部材（60）等を積層してヘッダ（13）を仮固定できるので、ヘッダ（13）の幅方向寸法を抑制できる。
【００４５】
以上のように、本実施形態によると、複数の板状ヘッダ部材が積層されてなるヘッダ（13）において、各ヘッダ部材にカシメ用爪（62）がはまる凹部を設ける。これにより、各ヘッダ部材をかしめるための構造を確保しつつ、幅方向寸法を抑制可能なコンパクトな積層型のヘッダ（13）を提供することができる。
【００４６】
また、本実施形態においては、各ヘッダ部材をプレス加工及び／又は押し出し加工により形成するため、切削加工が不要となるので、ヘッダ（13）を量産性良く製造できる。
【００４７】
また、本実施形態のヘッダ（13）では、伝熱管（11）が挿入される第１部材（20）と、冷媒の主流路（52）が形成される第４部材（50）とが別部材に分割される。このため、伝熱管（11）の挿入性及びろう付け性を向上させることができる。また、伝熱管（11）（例えば扁平多穴管）の外殻寸法に関わらず、冷媒主流路部の外殻寸法や肉厚等を規定できるので、例えば、冷媒側伝熱面積を増やすために扁平多穴管の幅を広くしても、冷媒主流路部の外殻寸法や肉厚等を変更せずにすむ。
【００４８】
また、本実施形態において、カシメ用爪（62）がはまる第１凹部（23）及び第２凹部（33）が、ヘッダ（13）の長手方向に隣り合う伝熱管（11）同士の間の領域に配置されると、伝熱管（11）のヘッダ幅方向寸法を低減することなく、第１凹部（23）及び第２凹部（33）を設けることができる。
【００４９】
また、本実施形態において、ヘッダ（13）が、第３部材（60）の主壁部（61）とカシメ用爪（62）の根元（63）とに囲まれた空間に配置され且つ主流路（52）を構成する第４部材（50）を備えると、ヘッダ（13）を冷媒流入部又は冷媒流出部とすることができる。
【００５０】
また、本実施形態において、ヘッダ（13）の第１部材（20）が平板状に構成され、第１部材（20）における第２部材（30）の反対側の平坦面でカシメ用爪（62）がかしめられると、ヘッダ（13）の仮固定を簡単な治具等を用いて行えるので、組立性が向上する。
【００５１】
また、本実施形態において、第１凹部（23）及び第２凹部（33）のそれぞれの深さが、カシメ用爪（62）の厚さと同等か又は当該厚さよりも大きいと、ヘッダ（13）の最大幅を、第１部材（20）又は第２部材（30）の最大幅（第１凹部（23）、第２凹部（33）が形成されていない領域の幅）と等しくすることができる。
【００５２】
また、本実施形態において、伝熱管（11）が扁平管であると、伝熱管（11）の伝熱面積を増大させて、熱交換器の性能を向上させることができる。
【００５３】
〈変形例〉
前記実施形態のヘッダ（13）においては、第２部材（30）と第４部材（50）との間に第５部材（40）を配置したが、本変形例においては、第５部材（40）を配置せず、第２部材（30）と第４部材（50）とを直接接合する。
【００５４】
本変形例では、第４部材（50）における第２部材（30）と対向する面には、例えば、ペーストろうとなる融点の低い別のアルミニウ厶合金が貼り合わされる。すなわち、第４部材（50）は、片面クラッド材から構成される。これにより、第２部材（30）と第４部材（50）とを例えばろう付けによって接合することができる。ここで、第２部材（30）の各差し込み空間（70）と、第４部材（50）の主流路（52）とはオーバーラップする。これにより、各伝熱管（11）と主流路（52）との間で冷媒の出し入れを行うことができる。
【００５５】
また、本変形例では、図３に示すように、第２部材（30）の各側板（31,31）の端面と、第３部材（60）におけるカシメ用爪（62）の根元（63）の端面とが接するので、当該接触箇所付近に、ろう付け性を担保するためにろう材を塗布してもよい。
【００５６】
−変形例の効果−
以上に説明した本変形例によると、前記実施形態と同様の効果に加えて、第５部材（40）を配置しないことにより、ヘッダ（13）をさらにコンパクトにできる。
【００５７】
《その他の実施形態》
前記実施形態（変形例を含む）では、ヘッダ（13）において、第３部材（60）の主壁部（61）とカシメ用爪（62）の根元（63）とに囲まれた空間に、主流路（52）を構成する第４部材（50）を配置することにより、ヘッダ（13）を冷媒流入部又は冷媒流出部とした。しかし、これに代えて、第４部材（50）及び第５部材（40）は配置せず、第２部材（30）の各差し込み空間（70）に対して、２本以上の伝熱管（11）の長手方向端部を連通させることにより、ヘッダ（13）を冷媒折り返し部としてもよい。この場合、第２部材（30）の各差し込み空間（70）に対して、第１部材（20）の２つ以上の貫通孔（22）がオーバーラップする。また、第２部材（30）の差し込み空間（70）における第１部材（20）の反対側は、第３部材（60）の主壁部（61）によって塞がれる。また、第３部材（60）において、主壁部（61）に開口（130）は設けられず、各カシメ用爪（62）の根元（63）は一体化しなくてもよい。
【００５８】
また、前記実施形態（変形例を含む）では、カシメ用爪（62）がはまる第１凹部（23）及び第２凹部（33）が、ヘッダ（13）の長手方向に隣り合う伝熱管（11）同士の間の領域に配置された。しかし、例えば、ヘッダ（13）における伝熱管（11）のヘッダ幅方向両側の寸法に余裕があるような場合、第１凹部（23）及び第２凹部（33）の配置箇所は特に制限されない。
【００５９】
また、前記実施形態（変形例を含む）では、ヘッダ（13）を構成する第１部材（20）等を平板状に構成したが、各ヘッダ部材の形状は特に制限されない。また、ヘッダ（13）は、長手方向に複数のブロックに分けて構成してもよい。
【００６０】
また、前記実施形態（変形例を含む）では、第１凹部（23）及び第２凹部（33）のそれぞれの深さを、カシメ用爪（62）の厚さと同等か又は当該厚さよりも大きく設定したが、これに代えて、第１凹部（23）及び第２凹部（33）のそれぞれの深さを、カシメ用爪（62）の厚さよりも小さく設定してもよい。この場合にも、第１凹部（23）及び第２凹部（33）を設けなかった場合と比較すると、ヘッダ（13）の幅方向寸法を抑制する効果が得られる。
【００６１】
また、前記実施形態（変形例を含む）では、伝熱管（11）として扁平管を用いたが、これに代えて、円管等の他の管を用いてもよい。
【００６２】
以上、実施形態及び変形例を説明したが、特許請求の範囲の趣旨及び範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。さらに、以上に述べた「第１」、「第２」…という記載は、これらの記載が付与された語句を区別するために用いられており、その語句の数や順序までも限定するものではない。
【産業上の利用可能性】
【００６３】
本開示は、熱交換器について有用である。
【符号の説明】
【００６４】
１    熱交換器
１１    伝熱管
１１１    平面部
１１２    冷媒流路
１２    伝熱フィン
１２ａ    切り起こし部
１３    ヘッダ
１３０    開口
１４    ヘッダ
１４０    開口
１５１    配管
１５２    配管
２０    第１部材
２１    平板部
２２    貫通孔
２３    第１凹部
３０    第２部材
３１    側板
３２    仕切り部
３３    第２凹部
４０    第５部材
４１    平板部
４２    貫通孔
４３    第３凹部
５０    第４部材
５１    平板部
５２    主流路
６０    第３部材
６１    主壁部
６２    カシメ用爪
６３    根元
７０    差し込み空間
【図１】
2020201021.tif 000003
【図２】
2020201021.tif 000004
【図３】
2020201021.tif 000005
【図４】
2020201021.tif 000006